(57)【特許請求の範囲】
【請求項１】
内容物を収容する容器本体部と、前記容器本体部の上部に設けられて前記内容物を注出する注出口部と、を有するボトル容器であって、
前記容器本体部は、正面部と、前記正面部に対して対向する背面部と、を有し、
前記容器本体部の高さ方向における少なくとも一部分では、当該容器本体部を正面視したときの側縁が側方に向けて膨らんでおり、
前記正面部と前記背面部との少なくとも何れか一方の外面には、突条が形成されており、
前記突条は、鉛直方向に対して斜めの方向に延在する部分を、前記容器本体部の前記少なくとも一部分において有し、かつ前記容器本体部の高さ方向における中央部および前記容器本体部の幅方向における中央部に位置しており、さらに、前記突条は、該突条の底部と頂部とを繋ぐ一対の傾斜面を有し、前記一対の傾斜面の少なくとも何れか一方は、凹曲面となっている部分を有するボトル容器。
【請求項２】
前記正面部と前記背面部とにそれぞれ前記突条が形成されている請求項１に記載のボトル容器。
【請求項３】
前記容器本体部を正面側から透視したときに、前記正面部の前記突条と、前記背面部の前記突条と、が互いに交差するように、前記正面部の前記突条と前記背面部の前記突条とがそれぞれ配置されている請求項２に記載のボトル容器。
【請求項４】
前記容器本体部を正面側から透視したときの、前記正面部の前記突条と前記背面部の前記突条との交差部が、前記容器本体部の高さ方向における中央部に位置している請求項３に記載のボトル容器。
【請求項５】
前記突条は、当該突条の延在方向に対して直交する断面形状が台形状の部分を有する請求項１乃至４の何れか一項に記載のボトル容器。
【請求項６】
前記突条は、当該突条の延在方向が前記容器本体部の上部に向けて次第に鉛直方向に近づく第１部分と、当該突条の延在方向が前記容器本体部の下部に向けて次第に鉛直方向に近づく第２部分と、のうちの少なくとも何れか一方を有している請求項１乃至５の何れか一項に記載のボトル容器。
【請求項７】
前記容器本体部は、前記正面部と前記背面部とを相互に繋ぐ一対の側面部を有し、
前記正面部と前記背面部との対向間隔が、前記一対の側面部どうしの対向間隔よりも小さく、
前記注出口部は、内容物を注出する注出筒を有し、
前記注出筒の開口は、前記一対の側面部のうちの一方の側面部の方を向いている請求項１乃至６の何れか一項に記載のボトル容器。
【請求項８】
前記容器本体部の平断面形状は扁平な形状であり、
前記突条は、前記側面部から遠ざかるにつれてその隆起量が増大している請求項７に記載のボトル容器。
【請求項９】
請求項１乃至８の何れか一項に記載のボトル容器と、
前記ボトル容器内に収容された内容物と、
前記ボトル容器の前記上部に着脱可能に取り付けられて前記注出口部を塞ぐ蓋部と、
を有するボトル容器詰め商品。
【発明の詳細な説明】
【技術分野】
【０００１】
本発明は、ボトル容器およびボトル容器詰め商品に関する。
【背景技術】
【０００２】
取っ手が省略された構造で、且つ、片手で把持して注出や計量を行うことが可能なボトル容器としては、特許文献１に記載のものがある。
特許文献１に記載のボトル容器の容器本体は、容器本体を片手で把持する際に第１指が接する第１の側面と、第１の側面と対向するように設けられていて第２指から第５指のいずれかの指が接する第２の側面と、第１の側面と第２の側面とに連続して設けられた第３の側面とを有するとともに、グリップ部が設けられている。グリップ部は、第１の側面と第２の側面との少なくとも一方または両方の側面に、指先が接する部分を凹ませて設けられた１以上の第１凹部と、第３の側面に、第１の側面と第２の側面との間にわたって一部を切り欠くように凹ませて設けられた第２凹部とを有している。
【先行技術文献】
【特許文献】
【０００３】
【特許文献１】実用新案登録第３１３４７９０号公報
【発明の概要】
【発明が解決しようとする課題】
【０００４】
特許文献１に記載のボトル容器は、把持しやすくするために第１凹部と第２凹部とを有する複雑な構造に加工する必要があるため、デザイン面での制約が大きい。
【０００５】
本発明は、上記の課題に鑑みなされたものであり、シンプルな構造で且つ把持性が良好なボトル容器およびボトル容器詰め商品に関する。
【課題を解決するための手段】
【０００６】
本発明は、
内容物を収容する容器本体部と、前記容器本体部の上部に設けられて前記内容物を注出する注出口部と、を有するボトル容器であって、
前記容器本体部は、正面部と、前記正面部に対して対向する背面部と、を有し、
前記容器本体部の高さ方向における少なくとも一部分では、当該容器本体部を正面視したときの側縁が側方に向けて膨らんでおり、
前記正面部と前記背面部との少なくとも何れか一方の外面には、突条が形成されており、
前記突条は、鉛直方向に対して斜めの方向に延在する部分を、前記容器本体部の前記少なくとも一部分において有しているボトル容器を提供する。
【０００７】
また、本発明は、
本発明のボトル容器と、
前記ボトル容器内に収容された内容物と、
前記ボトル容器の前記上部に着脱可能に取り付けられて前記注出口部を塞ぐ蓋部と、
を有するボトル容器詰め商品を提供する。
【発明の効果】
【０００８】
本発明によれば、シンプルな構造で且つ把持性が良好なボトル容器及びボトル容器詰め商品を提供することができる。
【図面の簡単な説明】
【０００９】
【図１】第１の実施形態に係るボトル容器の正面図である。
【図２】図２（ａ）は第１の実施形態に係るボトル容器を右側から見た側面図であり、図２（ｂ）はボトル容器の注出口部を右側から見た側面図である。
【図３】第１の実施形態に係るボトル容器の背面図である。
【図４】図４（ａ）は第１の実施形態に係るボトル容器を左側から見た側面図であり、図４（ｂ）はボトル容器の注出口部を左側から見た側面図である。
【図５】図５（ａ）は第１の実施形態に係るボトル容器の平面図、図５（ｂ）は第１の実施形態に係るボトル容器の底面図であり、図５（ｃ）はボトル容器の注出口部の平面図である。
【図６】図６（ａ）は図３のＡ−Ａ線に沿った切断端面図、図６（ｂ）は図６（ａ）のＤ部の拡大図である。
【図７】図３のＢ−Ｂ線に沿った切断端面図である。
【図８】図３のＣ−Ｃ線に沿った切断端面図である。
【図９】第１の実施形態に係るボトル容器詰め商品の正面図である。
【図１０】第１の実施形態に係るボトル容器の把持の仕方の例を示す図である。
【図１１】第１の実施形態に係るボトル容器の把持の仕方の例を示す図である。
【図１２】第１の実施形態に係るボトル容器の把持の仕方の例を示す図である。
【図１３】第１の実施形態に係るボトル容器の把持の仕方の例を示す図である。
【図１４】第２の実施形態に係るボトル容器の正面図である。
【図１５】図１５（ａ）は第２の実施形態に係るボトル容器を右側から見た側面図であり、図１５（ｂ）はボトル容器の注出口部を右側から見た側面図である。
【図１６】第２の実施形態に係るボトル容器の背面図である。
【図１７】図１７（ａ）は第１の実施形態に係るボトル容器を左側から見た側面図であり、図１７（ｂ）はボトル容器の注出口部を左側から見た側面図である。
【図１８】図１８（ａ）は図１６のＡ−Ａ線に沿った切断端面図、図１８（ｂ）は図１８（ａ）のＤ部の拡大図である。
【図１９】図１６のＢ−Ｂ線に沿った切断端面図である。
【図２０】第２の実施形態に係るボトル容器詰め商品の正面図である。
【発明を実施するための形態】
【００１０】
以下、本発明の実施形態について、図面を用いて説明する。なお、すべての図面において、同様の構成要素には同一の符号を付し、適宜に説明を省略する。
【００１１】
〔第１の実施形態〕
図１乃至図１３を参照して第１の実施形態について説明する。
図１乃至図５に示すように、本実施形態に係るボトル容器１００は、内容物１６０（図９）を収容する容器本体部１０と、容器本体部１０の上部に設けられて内容物１６０を注出する注出口部３０と、を有する。容器本体部１０は、正面部１１と、正面部１１に対して対向する背面部１２と、を有する。容器本体部１０の高さ方向における少なくとも一部分では、当該容器本体部１０を正面視したときの側縁が側方に向けて膨らんでいる。正面部１１と背面部１２との少なくとも何れか一方の外面には、突条２０が形成されている。突条２０は、鉛直方向に対して斜めの方向に延在する部分を、容器本体部１０の上記少なくとも一部分において有している。
以下、詳細に説明する。
【００１２】
容器本体部１０は、有底の中空形状に形成されている。
容器本体部１０は、正面部１１及び背面部１２の他に、正面部１１と背面部１２とを相互に繋ぐ一対の側面部１３、１４と、底部１５と、を有しており、自立可能な形態をなしている。より具体的には、容器本体部１０は、例えば、容器本体部１０の中心軸Ｘが鉛直方向となる姿勢で自立できるようになっている。
【００１３】
容器本体部１０の形状は、特に限定されず、例えば、平断面形状が円形や正方形などであっても良いが、本実施形態の場合、奥行きが左右幅よりも小さい扁平な形状となっている。
すなわち、正面部１１と背面部１２との対向間隔が、一対の側面部１３、１４どうしの対向間隔よりも小さい。換言すれば、正面部１１及び背面部１２の幅（左右幅）は、側面部１３、１４の幅（前後幅）よりも大きい。
ここで、扁平な形状には、平断面形状の一部分に直線的な部分や凸凹な部分を有する形状が含まれる。
好ましくは、本実施形態の場合、例えば、容器本体部１０の平断面形状は楕円状の形状となっている（図８参照）。
例えば、正面部１１、背面部１２、側面部１３及び側面部１４は、それぞれ滑らかな曲面状に形成され、且つ、互いの境界も滑らかな曲面状に形成されている。
ここで、楕円状の形状には、楕円形の他、長円形、卵形などの、楕円に近いオーバルな形状全般が含まれる。
【００１４】
ボトル容器１００は、使用者が容器本体部１０を片手で把持できるような寸法に形成されている。より具体的には、片手の第１指（親指）が正面部１１と背面部１２とのうちの何れか一方に接するとともに、当該片手の他の少なくとも１本の指が正面部１１と背面部１２とのうちの何れか他方に接する把持の仕方で容器本体部１０を把持できるようになっている（図１０〜図１３参照）。
【００１５】
上記のように、容器本体部１０の高さ方向における少なくとも一部分では、当該容器本体部１０を正面視したときの側縁（左右両側縁）が側方に向けて（つまり外方向に）膨らんでいる。すなわち、容器本体部１０の高さ方向における少なくとも一部分では、側面部１３、１４は、側方に向けて凸の凸曲面となっている。
容器本体部１０がこのような形状となっていることにより、容器本体部１０を把持したときに、容器本体部１０の側縁が手の平のカーブにフィットするため、良好な把持性が得られる（図１０乃至図１３参照）。
【００１６】
容器本体部１０を一層把持しやすくする観点から、容器本体部１０を正面視したときの側縁において最も側方（外）に膨らんでいる部分が、容器本体部１０の高さ方向における中央部に位置していることが好ましい。
【００１７】
ここで、容器本体部１０の高さ方向における中央部とは、例えば、図１に示すように、容器本体部１０の高さ寸法（上下寸法）をＨ１としたとき、容器本体部１０の高さ方向における中心から上方にＨ２の位置と、容器本体部１０の高さ方向における中心から下方にＨ３の位置との間の位置とする。Ｈ２、Ｈ３の範囲は、それぞれＨ１／５からＨ１／３の間とする。
【００１８】
一例として、図１等に示されるように、容器本体部１０の上端から下端に亘って、容器本体部１０を正面視したときの側縁が側方に向けて膨らんでいる。
【００１９】
また、上記のように、突条２０は、鉛直方向に対して斜めの方向に延在する部分を有している。当該斜めの方向に延在する部分は、少なくとも、容器本体部１０の上記少なくとも一部分（容器本体部１０を正面視したときの側縁が側方に向けて膨らんでいる部分）に配置されている。
ここで、突条２０の、鉛直方向に対して斜め方向に延在する部分の全体に亘って、容器本体部１０の側縁が側方に向けて膨らんでいても良いが、必ずしも、突条２０の、鉛直方向に対して斜め方向に延在する部分の全体に亘って、容器本体部１０の側縁が側方に向けて膨らんでいる必要はない。
【００２０】
上記のように、容器本体部１０の上部（例えば上端部）には、注出口部３０が設けられている。
注出口部３０は、当該注出口部３０の平面視における中央部に立設された注出筒３１を有し、注出筒３１には内容物１６０を注出する開口３１ａが形成されている。
開口３１ａは、一対の側面部１３、１４のうちの一方の側面部（例えば側面部１４）の方を向いている（図２、図５（ａ）参照）。
このため、例えば、片手の第１指が正面部１１に接するとともに、当該片手の他の少なくとも１本の指が背面部１２に接する把持の仕方で容器本体部１０を把持したときに、内容物１６０を開口３１ａから容易に注出することができる（図１２参照）。
【００２１】
なお、注出口部３０は、注出筒３１の周囲を囲む外周筒３２を有しており、外周筒３２の外面には、蓋部１７０（図９）と螺合するねじ山が形成されている。
【００２２】
なお、ボトル容器１００は、例えば、樹脂材料を用いてブロー成形により作製することができる。ただし、ボトル容器１００の材料は、樹脂に限らない。ボトル容器１００は、例えば、金属材料を用いて薄肉に形成されたものであっても良い。
【００２３】
上記のように、正面部１１と背面部１２との少なくとも何れか一方の外面には、突条２０が形成されている。
突条２０は、鉛直方向に対して斜めの方向に延在する部分を有している。換言すれば、突条２０は、容器本体部１０の中心軸Ｘに対して斜めの方向に延在する部分を有している。
【００２４】
正面部１１と背面部１２との少なくとも何れか一方には、鉛直方向に対して斜めの方向に延在する部分を有した突条２０が形成されているので、使用者がどのような把持の仕方で容器本体部１０を把持しても、何れかの指が突条２０の何れかの部分に引っ掛かりやすい。よって、容器本体部１０の把持性が良好であるため、軽い力で把持しても、ボトル容器１００が手から滑り落ちることを抑制できる。
しかも、容器本体部１０の把持性を良好にするために容器本体部１０を複雑な形状にする必要がないため、容器本体部１０をシンプルな構造にすることができる。
このため、容器本体部１０の高さ方向において、少なくとも鉛直方向に対して斜めの方向に突条２０が延在する部分の範囲にシュリンクラベル（図示略）を装着することができる。また、容器本体部１０の上端部から下端部に亘ってシュリンクラベルを装着することもできる。容器本体部１０がシンプルな構造なため、シュリンクラベルと容器本体部１０との高い密着性が得られ、良好な把持性を実現できる。
また、左右のどちらの手で容器本体部１０を把持したときにも、何れかの指が突条２０の何れかの部分に引っ掛かりやすいため、利き手にかかわらず良好な把持性を実現できる。
【００２５】
本実施形態の場合、正面部１１と背面部１２とにそれぞれ突条２０が形成されている。
このため、正面部１１の突条２０と背面部１２の突条２０との双方に対してそれぞれ指を引っ掛けた状態で容器本体部１０を把持しやすいため、容器本体部１０の把持性が更に良好である。
【００２６】
例えば、図１に示すように、容器本体部１０を正面側から透視したとき、正面部１１の突条２０と、背面部１２の突条２０と、が互いに交差するように、正面部１１の突条２０と背面部１２の突条２０とがそれぞれ配置されている。
このことにより、容器本体部１０を把持する位置が容器本体部１０の高さ方向において変動しても、何れかの指が正面部１１の突条２０と背面部１２の突条２０のうちの少なくとも何れか一方に引っ掛かりやすい。このため、把持する位置を使用者が特段意識することなく、良好な把持性を実現することができる。つまり、容器本体部１０の高さ方向において、良好な把持を実現できる手の位置の自由度が高い構造となっている。
【００２７】
好ましくは、正面部１１の突条２０と背面部１２の突条２０とは互いに同形状となっており、且つ、互いに回転対称な配置となっている。すなわち、正面部１１の突条２０を容器本体部１０の中心軸Ｘ周りに１８０度回転させると、背面部１２の突条２０と重なるようになっている。
【００２８】
より好ましくは、例えば、容器本体部１０を正面側から透視したときの、正面部１１の突条２０と背面部１２の突条２０との交差部２５が、容器本体部１０の高さ方向における中央部に位置している。
このため、使用者が把持する可能性が最も高い部位（容器本体部１０の高さ方向における中央部）において、正面部１１側と背面部１２側とで同等の把持性（突条２０に対する指の引っ掛かり具合）を実現することができるので、容器本体部１０をバランス良く安定的に把持することができる。
【００２９】
なお、交差部２５は、容器本体部１０を正面視したときの正面部１１の幅方向における中央部に位置している。同様に、交差部２５は、容器本体部１０を背面視したときの背面部１２の幅方向における中央部に位置している。
【００３０】
突条２０は、例えば、当該突条２０の延在方向が容器本体部１０の上部に向けて次第に鉛直方向に近づく第１部分２０ａと、当該突条２０の延在方向が容器本体部１０の下部に向けて次第に鉛直方向に近づく第２部分２０ｂと、のうちの少なくとも何れか一方を有している。
より好ましくは、例えば、突条２０は、第１部分２０ａと第２部分２０ｂとの双方を有しており、第１部分２０ａ及び第２部分２０ｂは、それぞれ突条２０の高さ方向における中心から離れるにつれて、鉛直に近づくような曲線状に延在している。
一例として、突条２０は、図１に示すように、正面視においてＳ字状の曲線状に形成されている。
突条２０がこのような形状となっていることにより、容器本体部１０を把持する手のサイズや、容器本体部１０を把持する手の位置にかかわらず、何れかの指が突条２０の何れかの部分に対して更に引っ掛かりやすくなる。また、何れかの指が突条２０の何れかの部分に対して触れることによる安心感が得られ、手から容器本体部１０が滑り落ちるのではないかという不安感を低減することができる。
なお、突条２０の一部分については、鉛直方向（中心軸Ｘ）に対して斜めではなく、鉛直方向（中心軸Ｘに対して平行）となっていても良い。
【００３１】
突条２０は、細長く延びる突出部である。
突条２０は、当該突条２０の両脇の部分１８（突条２０の幅方向における両側の部分）よりも、中心軸Ｘからの距離が遠くなるように形成されている（図１、図３、図６、図７参照）。すなわち、突条２０は、当該突条２０の両脇の部分よりも容器本体部１０の外方に向けて突出している。換言すれば、突条２０は、容器本体部１０の外方向に隆起している。
そして、突条２０は、容器本体部１０の表面に沿って延びている。
【００３２】
突条２０は、例えば、該突条２０の底部と頂部とを繋ぐ一対の傾斜面２１（図１〜図４、図６（ｂ）参照）を有している。
一対の傾斜面２１は、当該突条２０の両脇の部分１８（突条２０の幅方向における両側の部分）に対してそれぞれ傾斜している。
ここで、一対の傾斜面２１の少なくとも何れか一方は、凹曲面となっている部分を有する。すなわち、突条２０の全長における少なくとも一部分において、一対の傾斜面２１の少なくとも何れか一方が凹曲面となっている。
このため、突条２０において傾斜面２１が凹曲面となっている部分に対して指が引っ掛かりやすく、且つ、突条２０において傾斜面２１が凹曲面となっている部分に対して指が密着しやすいため、容器本体部１０の把持性が更に良好となっている。
なお、本実施形態の場合、突条２０の頂部は、一対の傾斜面２１の境界線である１本の稜線２２からなる。
【００３３】
突条２０の隆起量は、当該突条２０の全長に亘って一定であっても良いが、本実施形態の場合、突条２０の隆起量は、側面部１３、１４から遠ざかるにつれて増大している。すなわち、例えば、正面部１１並びに背面部１２の幅方向における中央部に位置する交差部２５に近づくにつれて、突条２０の隆起量が増大している。
突条２０の隆起量は、例えば、ボトル容器１００の高さ方向（上下方向）における突条２０の中央部、すなわち、ボトル容器１００の高さ方向（上下方向）における突条２０の上端と下端との間の中央部において最も大きくなっている。
【００３４】
本実施形態のように容器本体部１０の平断面形状が楕円状である場合に、側面部１３、１４から遠ざかるにつれて突条２０の隆起量が増大しているということは、図１２のように内容物１６０を注出する際に最も滑りやすい部分（鉛直面に近くなる部分２６）での突条２０の隆起量が最も大きいということになる。このため、注出作業の際において、把持する手から容器本体部１０が滑ってしまうことを好適に抑制することができる。なお、内容物１６０の注出の際に鉛直面に近くなる部分２６は、正面部１１並びに背面部１２の幅方向における中央部である。つまり、本実施形態の場合、当該部分２６は、交差部２５の近傍の部分であり、ボトル容器１００を図１２のように横倒しにした時に、ボトル容器１００の外面における部分２６の周辺部分が鉛直面または略鉛直面になる。
また、突条２０が形成された容器本体部１０の外表面をより滑らかな形状にすることができるため、容器本体部１０において、突条２０が形成されている部分に対しても、シュリンクラベルを良好な密着性で装着することができる。
【００３５】
次に、図９を参照して、本実施形態に係るボトル容器詰め商品１５０について説明する。
本実施形態に係るボトル容器詰め商品１５０は、本実施形態に係るボトル容器１００と、ボトル容器１００内に収容された内容物１６０と、ボトル容器１００の上部に着脱可能に取り付けられて注出口部３０を塞ぐ蓋部１７０と、を有する。
【００３６】
内容物１６０の形態は、液状のもの（ペースト状のものを含む）に限らず、固体（例えば、粒状のもの（顆粒状のものを含む）、或いは粉状のものなど）であっても良い。
内容物１６０の種類は、特に限定されない。内容物１６０としては、例えば、洗剤、漂白剤、液体石けん（ハンドソープ、ボディソープ）、シャンプー、リンス、柔軟仕上げ剤、食品などが挙げられる。
【００３７】
内容物１６０が液状の場合には、例えば３０℃における粘度が１ｍＰａ・ｓ〜５万ｍＰａ・ｓ（Ｂ型粘度計で測定）の内容物１６０がボトル容器１００内に収容される。
【００３８】
蓋部１７０の下部には、注出口部３０の外周筒３２に形成されたねじ山と螺合する雌ねじが形成されている。蓋部１７０の雌ねじを外周筒３２のねじ山と螺合させることにより、蓋部１７０を注出口部３０に対して着脱可能に取り付けることができる。
蓋部１７０は、例えば、内容物１６０を計量するための計量線が表記された計量キャップであることが挙げられるが、単に注出口部３０を塞ぐものであっても良い。
【００３９】
ボトル容器詰め商品１５０の重心又は内容物１６０を未使用の状態での重心は、容器本体部１０を正面視したときの側縁が側方に向けて膨らんでいて、且つ、突条２０が鉛直方向に対して斜めの方向に延在する部分に位置していることが好ましい。これにより、容器本体部１０において、容器本体部１０を正面視したときの側縁が側方に向けて膨らんでいて、且つ、突条２０が鉛直方向に対して斜めの方向に延在する部分を把持したときに、ボトル容器詰め商品１５０を極力小さい力で安定的に把持することができる。
【００４０】
次に、ボトル容器１００の把持の仕方の例について説明する。
【００４１】
例えば、図１０及び図１１に示すように、第１指が正面部１１の突条２０に掛かり、第３指等が背面部１２の突条２０に掛かるような把持の仕方により、ボトル容器１００を片手で安定的に把持することができる。
そして、図１２に示すように、ボトル容器１００を傾けることにより、内容物１６０を注出することができる。ボトル容器１００を片手で把持できるため、もう一方の手で計量機能を有する蓋部１７０を保持し、その蓋部１７０に内容物１６０を注ぎ込むことにより、容易に計量作業を行うことができる。
【００４２】
また、図１３（ａ）に示すように、図１０及び図１１に示す把持の仕方と比べて手の位置が上側にずれた場合にも、何れかの指（例えば第５指など）が突条２０に引っ掛かるため、やはり、良好な把持性が得られる。
また、図１３（ｂ）に示すように、図１０及び図１１に示す把持の仕方と比べて手の位置が下側にずれた場合にも、何れかの指（例えば第１指など）が突条２０に引っ掛かるため、やはり、良好な把持性が得られる。
【００４３】
ここで、ボトル容器１００の各部の寸法の例について説明する。
突条２０の隆起量の最大値Ｔ（図６（ｂ））は、例えば、０．１５ｍｍ以上１５ｍｍ以下とすることができる。最大値Ｔを０．１５ｍｍ以上とすることにより、突条２０に対して指を引っ掛けやすくなり、容器本体部１０の把持性を良好に向上することができる。また、一般的な大人の指の厚みは１５ｍｍ程度であるため、最大値Ｔを１５ｍｍ以下とすることにより、必要以上に容器本体部１０の外形寸法（後述する前後幅寸法Ｗ２など）が大きくなってしまうことを抑制しつつ、容器本体部１０の把持性を良好に向上することができる。
容器本体部１０の高さ寸法Ｈ１（図１）は、例えば、８０ｍｍ以上３００ｍｍ以下とすることができる。
容器本体部１０の高さ方向において、突条２０が延在する範囲（存在する範囲）は、Ｈ１の５０％以上の範囲であることが好ましい。このようにすることにより、容器本体部１０の把持性を良好なものとすることができる。
また、容器本体部１０の高さ方向において、突条２０において鉛直方向に対して斜めの方向に延在する部分が延在する範囲（存在する範囲）は、Ｈ１の１０％以上の範囲であることが好ましい。このようにすることにより、容器本体部１０の把持性を良好なものとすることができる。
容器本体部１０の左右幅寸法Ｗ１（図１）は、例えば、２５ｍｍ以上２００ｍｍ以下とすることができる。
容器本体部１０の前後幅寸法Ｗ２（図２）は、例えば、２５ｍｍ以上１３０ｍｍ以下とすることができる。
容器本体部１０の左右幅方向において、突条２０が延在する範囲（存在する範囲）は、Ｗ１の５０％以上の範囲であることが好ましい。このようにすることにより、容器本体部１０の把持性を良好なものとすることができる。
また、容器本体部１０の左右幅方向において、突条２０において鉛直方向に対して斜めの方向に延在する部分が延在する範囲（存在する範囲）は、Ｗ１の５０％以上の範囲であることが好ましい。このようにすることにより、容器本体部１０の把持性を良好なものとすることができる。
【００４４】
以上のような第１の実施形態によれば、ボトル容器１００は、内容物１６０を収容する容器本体部１０と、容器本体部１０の上部に設けられて内容物１６０を注出する注出口部３０と、を有する。容器本体部１０は、正面部１１と、正面部１１に対して対向する背面部１２と、を有し、容器本体部１０の高さ方向における少なくとも一部分では、容器本体部１０を正面視したときの側縁が側方に向けて膨らんでいる。正面部１１と背面部１２との少なくとも何れか一方の外面には、突条２０が形成されている。そして、突条２０は、鉛直方向に対して斜めの方向に延在する部分を、容器本体部１０の上記少なくとも一部分において有している。
よって、ボトル容器１００を、シンプルな構造で且つ把持性が良好なものとすることができる。
すなわち、使用者がどのような把持の仕方で容器本体部１０を把持しても、何れかの指が突条２０の何れかの部分に引っ掛かりやすいため、容器本体部１０の把持性が良好である。よって、軽い力で把持しても、ボトル容器１００が手から滑り落ちることを抑制できる。
しかも、容器本体部１０の把持性を良好にするために容器本体部１０を複雑な形状にする必要がないため、容器本体部１０をシンプルな構造にすることができる。すなわち、容器本体部１０にいびつな形状の凹部を形成したりする必要がないため、容器本体部１０をすっきりした外観のものとすることができ、ボトル容器１００の意匠性を良好なものとすることができる。
加えて、容器本体部１０を複雑な形状にする必要がなくシンプルな構造にすることができるため、容器本体部１０において、突条２０が形成されている部分に対しても、シュリンクラベルを良好な密着性で装着することができる。例えば、容器本体部１０の上端部から下端部に亘ってシュリンクラベルを装着することもできる。しかも、容器本体部１０の内容積を十分に確保することができる。
また、左右のどちらの手で容器本体部１０を把持したときにも、何れかの指が突条２０の何れかの部分に引っ掛かりやすいため、利き手にかかわらず良好な把持性を実現できる。
また、容器本体部１０の高さ方向における少なくとも一部分では、容器本体部１０を正面視したときの側縁が側方に向けて膨らんでいるので、容器本体部１０を把持したときに、容器本体部１０の側縁が手の平のカーブにフィットするため、良好な把持性が得られる（図１０乃至図１３参照）。すなわち、本実施形態によれば、指および手の平の双方に対し、容器本体部１０が良好に密着した状態で、容器本体部１０を把持することが容易となる。よって、ぐらつき等を抑制しつつ、安定的に、容器本体部１０を把持することができる。
また、突条２０によって容器本体部１０を補強することができる。よって、容器本体部１０を把持したときに意図せず容器本体部１０を必要以上に押圧してしまうことを抑制できるため、内容物１６０の飛び出し等を抑制することができる。
【００４５】
なお、特許文献１に記載のボトル容器では、把持しやすくするために第１凹部と第２凹部とを有する複雑な構造に加工する必要があるため、デザイン面での制約が大きい。そして、ボトル容器にいびつな形状の凹部を形成する必要があるため、ボトル容器の優れた意匠性を得ることが困難である。また、ボトル容器の表面が複雑な凹凸を有しているため、ボトル容器の上端部から下端部に亘ってシュリンクラベルを装着することは困難である。また、嵩張る割には内容積が小さいという問題もある。
【００４６】
また、本実施形態に係るボトル容器１００においては、正面部１１と背面部１２とにそれぞれ突条２０が形成されているので、正面側と背面側との双方の突条２０に指を引っ掛けた状態で容器本体部１０を把持しやすいため、容器本体部１０の把持性が更に良好である。
【００４７】
また、容器本体部１０を正面側から透視したときに、正面部１１の突条２０と背面部１２の突条２０とが互いに交差するように、正面部１１の突条２０と背面部１２の突条２０とがそれぞれ配置されている。よって、容器本体部１０を把持する位置が容器本体部１０の高さ方向において変動しても、何れかの指が正面部１１の突条２０と背面部１２の突条２０の少なくとも何れか一方に引っ掛かりやすい。このため、把持する位置を使用者が特段意識することなく、良好な把持性を実現することができる。
【００４８】
また、正面部１１の突条２０と背面部１２の突条２０とが互いに回転対称形であるので、正面部１１側と背面部１２側とで同等の把持性が得られる。
【００４９】
また、容器本体部１０を正面側から透視したときの、正面部１１の突条２０と背面部１２の突条２０との交差部２５が、容器本体部１０の高さ方向における中央部に位置している。よって、容器本体部１０の高さ方向における中央部、すなわち使用者が把持する可能性が最も高い部位において、正面部１１側と背面部１２側とで同等の把持性（突条２０に対する指の引っ掛かり具合）を実現することができるので、容器本体部１０をバランス良く安定的に把持することができる。また、図１２に示すように内容物１６０を注出する際に、極力モーメントが小さくなるようにボトル容器１００の重心付近を把持したときに、良好な把持性が得られる。
【００５０】
また、突条２０は、その底部と頂部とを繋ぐ一対の傾斜面２１を有し、一対の傾斜面２１の少なくとも何れか一方は、凹曲面となっている部分を有しているので、指が突条２０に引っ掛かりやすく、且つ、突条２０に対して指が密着しやすいため、更に良好な容器本体部１０の把持性が得られる。
【００５１】
また、突条２０は、当該突条２０の延在方向が容器本体部１０の上部に向けて次第に鉛直方向に近づく第１部分２０ａと、当該突条２０の延在方向が容器本体部１０の下部に向けて次第に鉛直方向に近づく第２部分２０ｂと、のうちの少なくとも何れか一方を有している。
これにより、容器本体部１０を把持する位置が容器本体部１０の高さ方向において変動しても、何れかの指が突条２０の何れかの部分に対して更に引っ掛かりやすくなる。よって、容器本体部１０の何れの部分を把持したときにも、指が突条２０に触れることによる安心感が得られ、手から容器本体部１０が滑り落ちるのではないかという不安感を低減することができる。
【００５２】
また、容器本体部１０は、正面部１１と背面部１２とを相互に繋ぐ一対の側面部１３、１４を有し、正面部１１と背面部１２との対向間隔が、一対の側面部１３、１４どうしの対向間隔よりも小さく、注出口部３０は、内容物１６０を注出する開口３１ａを有し、開口３１ａは、一対の側面部１３、１４のうちの一方の側面部（例えば側面部１４）の方を向いている。
このため、開口３１ａから内容物１６０を注出する際における容器本体部１０の自然な把持の仕方は、図１２に示すように片手の第１指が正面部１１又は背面部１２の一方（例えば正面部１１）に接するとともに、当該片手の他の指が正面部１１又は背面部１２の他方（例えば背面部１２）に接する把持の仕方となる。
そして、内容物１６０を注出する際に自然な把持の仕方で容器本体部１０を把持したときに指が触れる面（正面部１１と背面部１２とのうちの少なくとも何れか一方）に突条２０が形成されているので、内容物１６０を注出する際における容器本体部１０の把持性を良好にすることができる。
【００５３】
また、容器本体部１０の平断面形状は楕円状であり、突条２０は、側面部１３、１４から遠ざかるにつれてその隆起量が増大している。このため、図１２のように内容物１６０を注出する際に最も滑りやすい部分（鉛直面に近くなる部分２６（図１２））での突条２０の隆起量が最も大きくなるため、注出作業の際に把持する手から容器本体部１０が滑ってしまうことを好適に抑制することができる。
また、突条２０が形成された容器本体部１０の外表面をより滑らかな形状にすることができるため、容器本体部１０において、突条２０が形成されている部分に対しても、シュリンクラベルを良好な密着性で装着することができ、容器本体部１０の上端部から下端部に亘ってシュリンクラベルを良好な密着性で装着することもできる。
【００５４】
〔第２の実施形態〕
次に、図１４乃至図２０を参照して、第２の実施形態について説明する。
【００５５】
図１４乃至図１９に示すように、本実施形態に係るボトル容器１００は、突条２０の形状が、上記の第１の実施形態に係るボトル容器１００と相違し、その他の点では、上記の第１の実施形態に係るボトル容器１００と同様に構成されている。
【００５６】
本実施形態の場合、突条２０は、当該突条２０の延在方向に対して直交する断面形状が台形状の部分を有している。すなわち、突条２０の全長における少なくとも一部分において、突条２０の延在方向に対して直交する突条２０の断面形状が台形状となっている（図１８（ｂ）参照）。すなわち、本実施形態の場合、突条２０は、頂面２３を有する断面台形状のリブであり、一対の稜線２２を有している。すなわち、頂面２３と一方の傾斜面２１との境界、及び、頂面２３と他方の傾斜面２１との境界に、それぞれ稜線２２を有している。
ここで、台形状の形状には、台形の他、台形の一方の斜辺、他方の斜辺及び上底のうち何れか１つの辺を曲線に置き換えた形状や、一つの斜辺の長さ（或いは一対の斜辺を曲線に置き換えた場合における一対の曲線の長さ）が互いに異なる形状などの、台形に近い形状全般が含まれる。
【００５７】
頂面２３の幅は、例えば、側面部１３、１４から遠ざかるにつれて増大している。すなわち、図１４において、交差部２５に近づくにつれて頂面２３の幅が増大している。
そして、頂面２３の幅は、突条２０の高さ方向における中央部において最も広くなっている。
すなわち、容器本体部１０を正面視したときの正面部１１の中央部に近づくほど頂面２３の幅が広くなっており、容器本体部１０を背面視したときの背面部１２の中央部に近づくほど頂面２３の幅が広くなっている。
ただし、頂面２３の幅は、突条２０の全長に亘って一定であっても良い。
【００５８】
突条２０は、当該突条２０の全長に亘って頂面２３を有していても（二本の稜線２２を有していても）良いが、その全長における一部分においてのみ頂面２３を有していても良い。
【００５９】
図２０に示すように、本実施形態に係るボトル容器詰め商品１５０は、上記の第１の実施形態に係るボトル容器１００の代わりに、本実施形態に係るボトル容器１００を有する点で、上記の第１の実施形態に係るボトル容器詰め商品１５０と相違し、その他の点では、上記の第１の実施形態に係るボトル容器詰め商品１５０と同様に構成されている。
【００６０】
以上のような第２の実施形態によれば、突条２０は、当該突条２０の延在方向に対して直交する断面形状が台形状の部分を有しているので、突条２０によって容器本体部１０をより良好に補強することができる。このため、容器本体部１０を把持したときに意図せず容器本体部１０を必要以上に押圧してしまうことをより良好に抑制できるため、内容物１６０の飛び出し等をより確実に抑制できる。
【００６１】
また、容器本体部１０は、正面部１１及び背面部１２の中央部が最も変形しやすいが、容器本体部１０を正面視したときの正面部１１の中央部に近づくほど頂面２３の幅が広くなっており、容器本体部１０を背面視したときの背面部１２の中央部に近づくほど頂面２３の幅が広くなっていることにより、正面部１１及び背面部１２の中央部が突条２０によってより強固に補強された構造となっている。
よって、容器本体部１０を把持したときに意図せず容器本体部１０を必要以上に押圧してしまうことを更に確実に抑制することができる。
【００６２】
なお、上記の各形態においては、容器本体部１０の平断面形状が楕円状である例を説明したが、容器本体部１０の平断面形状は長方形状（角丸の長方形状）などであっても良い。
【００６３】
また、上記の各形態においては、容器本体部１０を正面側から透視したときに、正面部１１の突条２０と背面部１２の突条２０とが互いに交差するようになっている例を説明したが、容器本体部１０を正面側から透視したときに、正面部１１の突条２０と背面部１２の突条２０とが互いに重なる（一致する）ようになっていても良い。
この場合、利き手にかかわらず同等の把持性が得られる。
【００６４】
また、突条２０の傾斜面２１、或いは、容器本体部１０の外面における突条２０の近傍の部分には、指先等が触れる１つ又は複数の小突起が形成されていても良い。このようにすることにより、指と容器本体部１０の外面との摩擦力が増大するので、容器本体部１０の把持性を更に良好にすることができる。
【符号の説明】
【００６５】
１０ 容器本体部
１１ 正面部
１２ 背面部
１３ 側面部
１４ 側面部
１５ 底部
１８ 部分
２０ 突条
２０ａ 第１部分
２０ｂ 第２部分
２１ 傾斜面
２２ 稜線
２３ 頂面
２５ 交差部
２６ 部分
３０ 注出口部
３１ 注出筒
３１ａ  開口
３２ 外周筒
５０ 手
１００ ボトル容器
１５０ ボトル容器詰め商品
１６０ 内容物
１７０ 蓋部
【図１】
0006469404.tif 000002
【図２】
0006469404.tif 000003
【図３】
0006469404.tif 000004
【図４】
0006469404.tif 000005
【図５】
0006469404.tif 000006
【図６】
0006469404.tif 000007
【図７】
0006469404.tif 000008
【図８】
0006469404.tif 000009
【図９】
0006469404.tif 000010
【図１０】
0006469404.tif 000011
【図１１】
0006469404.tif 000012
【図１２】
0006469404.tif 000013
【図１３】
0006469404.tif 000014
【図１４】
0006469404.tif 000015
【図１５】
0006469404.tif 000016
【図１６】
0006469404.tif 000017
【図１７】
0006469404.tif 000018
【図１８】
0006469404.tif 000019
【図１９】
0006469404.tif 000020
【図２０】
0006469404.tif 000021